(57)【特許請求の範囲】
【請求項１】
薄型筒状の本体と、
この本体内部に設けられ回転軸方向が前記本体の軸方向に一致し、ファン吸込口が本体底面側になると共にファン吹出口が本体側面側になるよう位置させた遠心ファンと、
本体天面の略中央に形成され引掛シーリングを収納する凹部と、
本体底面に設けられ照明器が引掛係合される取付部と、
本体側面に形成された吹出口および吸込口とを備え、
前記本体側面の略１／４に吹出口を形成し、
前記遠心ファンの風量が１６０ｍ3／ｈで前記吹出口の吹出風速が３ｍ／ｓ以上であるか、または前記風量と前記吹出風速との積が０．２ｍ4／ｓ2以上であることを特徴とする循環送風機。
【請求項２】
吹出口の上部に位置する本体天面部分に、吹出し方向に向かって斜め下方になる傾斜部を形成すると共にその傾斜部先端に突起部を形成したことを特徴とする請求項１記載の循環送風機。
【請求項３】
吹出口に上下または左右方向の風向板を設けたことを特徴とする請求項１記載の循環送風機。
【請求項４】
天面に引掛シーリングと係合される係合部が設けられ、底面に照明器が引掛係合される取付部が設けられた取付部材と、
この取付部材に固定された送風機と、
この送風機の送風羽根を収納し、吸込口と一箇所の吹出口とが側面に形成された本体とを備え、
前記送風機の風量が１６０ｍ3／ｈで前記吹出口の吹出風速が３ｍ／ｓ以上であるか、または前記風量と前記吹出風速との積が０．２ｍ4／ｓ2以上であることを特徴とする循環送風機。
【請求項５】
本体は引掛シーリングに対して水平面内で回動可能に前記取付部材に取付けられていることを特徴とする請求項４記載の循環送風機。
【請求項６】
本体天面の略中央に引掛シーリングが収納される凹部または穴が形成されたことを特徴とする請求項４または５記載の循環送風機。
【請求項７】
本体を樹脂成形すると共に取付金具を鋼鈑で構成したことを特徴とする請求項４または５または６記載の循環送風機。
【請求項８】
下面から吸込み、天井面に沿って周方向に吹出す送風機と、
この送風機の送風羽根を収納し、側面の周方向に開口部と閉鎖部とが交互に配置して、前記開口部からは直線状の２方向に前記送風羽根からの空気を吹出す本体とを備え、
前記送風機の送風能力を風量２８０ｍ3／ｈで吹出風速を６ｍ／ｓ以上であるか、または前記風量と前記吹出風速の積が０．５ｍ4／ｓ2以上としたことを特徴とする循環送風機。
【発明の詳細な説明】
【０００１】
【発明の属する技術分野】
この発明は、天井面に設けられた引掛シーリングに循環送風機を取付け、その下面にシーリング式照明器を取付けることが可能な照明器連結型循環送風機に関するものである。
【０００２】
【従来の技術】
従来の技術１．
照明器具には天井面に直接取り付けるシーリング式と天井面から電源コードやワイヤ−、鎖などを使って照明器具を吊り下げるペンダント式とがあるが、電源配線はいずれも天井面に取付られた引掛けシーリング本体と呼ばれる雌型具に照明器具側に設けられた引掛けシーリングキャップと呼ばれる雄型具を引掛け係止することにより結合される方式が多い。また、引掛けシーリング本体外周部の天井面にリング状の固定金具をネジ固定し、この固定金具と本体とをネジ固定し、さらに取付を強固なものにする方法が多い。
【０００３】
また、照明器具は室内のほぼ中央に設けられるため、照明器具と空気清浄器を一体とすることで空気清浄器を室内の中央に位置させ循環効率を向上させる発明が多数ある。
シーリング式の照明器具で照明器具と空気清浄器を一体とした発明には、特開昭60−250504号「空気清浄器付照明器具」、特開昭63−294920号「照明燈付空気清浄機」、特開平10−241455号「空気清浄機能付照明装置」、特開平11−337137号「天井取付空気清浄機」、実開昭57−119413号「空気清浄器付照明器具」、実開昭60−42211号「空気清浄器付照明器具」、実開平2−36122号「空気清浄機付照明器具」、実開平5−52638号「空気清浄機の取付装置」などがある。
【０００４】
ペンダント式の照明器具で照明器具と空気清浄器を一体とした発明には、特開昭60−250503号「空気清浄器付照明器具」、特開昭61−119939号「空気清浄機」、特開昭63−242312号「空気清浄器」、特開平9−282934号「空気清浄器付き照明器具」、特開平10−38361号「天井吊り下げ照明装置付空気清浄機」、特開平10−311573号「空気清浄機」、特開平11−162249号「空気清浄機能付き照明器具」、実開昭60−40914号「空気清浄機付照明器具」、実開昭60−187417号「吊り下げ型照明器」、実開昭61−118616号「空気清浄器」、実開昭62−97422号「吊下型空気清浄器」、実開昭63−157227号「空気清浄器」、実開平1−7709号、同7710号、同7711号「空気清浄機能付き照明器具」、実開平1−13621号「空気清浄装置付照明器具」などがある。
【０００５】
上記発明の中で、天井面と照明器具との間に空気清浄機を設けるものの代表例としては、特開昭63−242312号「空気清浄器」、実開昭62−97422号「吊下型空気清浄器」、実開昭63−157227号「空気清浄器」、特開平11−337137号「天井取付空気清浄機」があり、他に空気清浄機として特開2000−081232号「天井取付空気清浄機」がある。
【０００６】
従来の技術２．
上記従来技術から明らかなように照明器具と一体に形成された空気清浄機は多数提案されているが、従来は一体に固定されているため、取付構造は一つのみに限定されてしまい、汎用性がなかったものが多い。すなわち、照明器具のある所に設置する際、手持ちの照明器は廃棄し、一体に両方の形成されたものを購入する必要があり、大いなる無駄を生じた。このため、特開昭63−242312号「空気清浄器」のような、天井面と照明器具との間に空気清浄機を設けるものが提案された。
【０００７】
この特開昭63−242312号公報の内容を図１３について説明する。
図１３は、特開昭63−242312号公報に開示された従来の空気清浄器を示す斜視図である。図において、循環送風機本体１５は循環用送風機と空気浄化手段としての浄化フィルターを内蔵している。２６は循環送風機本体１５上部に取付けた引掛シーリングキャップ３を有する送風機側電線であり、２はこの送風機側電線２６先端の引掛シーリングキャップ３と電気的に接続した引掛シーリング本体である。１は天井であり、引掛シーリング本体２はこの天井１に埋設されている。
７は照明器本体であり、手持ち（既存）のもので良く、引掛シーリングキャップ２４を有する照明器具側電線２７を備えている。
２１は吸込口、２２は吹出口である。
【０００８】
動作を説明すると、汚れた空気は循環用送風機の起す空気流によって吸込口２１より循環送風機本体１５内へと流入し、空気浄化手段を通過し浄化された空気は、吹出口２２より循環送風機本体１５の外方へと排出される。
一般に、照明器本体７は部屋のほぼ中央で人の集合部分のすぐ上にあり、タバコの煙、臭等の汚染の発生源に近く、照明器本体７の引掛シーリングキャップ２４を引掛シーリング本体２３に装着接続し、引掛シーリングキャップ３を天井１の引掛シーリング本体２に装着接続することにより、送風機側電線２６と照明器具側電線２７とによって空気清浄器は照明器本体７の真上に位置し、浄化効率が高く汚染の発生源に極めて近接した位置に設置できるものである。しかも、手持ちの照明器具を使用出来るため、新たに照明器具付きの空気清浄器を購入する無駄もなく、照明器具・空気清浄器の取付け、取外しは自由に行なえるため、単独での使用や他の部屋での使用も容易に行なえる。
【０００９】
従来の技術３．
実開昭63−157227号「空気清浄器」は上記と同様の取付構造を示している。
図１４は実開昭63−157227号公報に開示された従来の空気清浄器を示す断面図である。図において、循環送風機本体１５の上面に引掛シーリングキャップ３を直付け固着して、空気清浄器を構成してある。引掛シーリングキャップ３は、室の天井１に設けられた照明器具用の引掛シーリング本体２に対して着脱自在に構成されており、この引掛シーリングキャップ３を引掛シーリング本体２に装着することでこの空気清浄器の設置が完了し、引掛シーリングキャップ３を引掛シーリング本体２から離脱させることで、空気清浄器の設置場所からの取外しが完了するようになっている。
【００１０】
従って、空気清浄器の設置が極めて容易に行えると共に、他の機種等への取替えが造作なく行える。しかも、メンテナンス作業を行う際には、空気清浄器を簡単に設置場所から取外せることで、確実かつ容易な作業が可能となる。また、この空気清浄器は、その引掛シーリングキャップ３を天井１の引掛シーリング本体２に装着することによる設置状態で、天井１に沿って位置することとなり、室の床（図指せず）面から上方に十分隔離することで、つまり、比較的使用されることが少ない天井近くの空間を有効利用して、室の有効床面積が小さくなることを回避している。
【００１１】
清浄器本体１の内部には、一対のファン２０、２０が設けられている。一方のファン２０には駆動モーター３３が連動連結され、かつ、２つのファン２０、２０は襷掛けされたベルト（図示せず）により連動されており、これら一対のファン２０、２０は駆動モーター３３の駆動で、逆方向に回転するように構成されている。また、これらファン２０、２０の下方には活性炭入りで脱臭と除塵との機能を持った空気浄化用のフィルタが、循環送風機本体１５に対して、横方向からのスライドにより出し入れ自在に設けられている。
【００１２】
循環送風機本体１５はこのフィルタの下方において、その下面が吸込口２１によって外部に開口されると共に一対のファン２０、２０の側方において、その側面がガラリを介した吹出口２２によって外部に開口されている。そして、それら一対のファン２０、２０の回転に伴って、室内の空気が吸込口２１からフィルタを径てこのフィルタにより浄化されて循環送風機本体１５の内部に吸込まれた後、側面のガラリを経て吹出口２２から室内に吹出されて戻されるように構成されている。また、先に述べたように、この循環送風機本体１５は、天井１面近くに設置されるから、特に冬期の暖房時等において、室の上部近くに滞留する暖気を浄化しながら室内に還流させて、暖房の効率を高めることが出来るのである。
【００１３】
また、循環送風機本体１５の下面には、室の天井１に設けられたものと同じ形式の照明器具用の引掛けシーリング本体２３が設けられている。そして、この引掛けシーリング本体２３に、照明器具側電線２７を介して照明器本体７に連設された引掛けシーリングキャップ２４が装着され、照明器本体７が吊り下げ支持されている。この引掛けシーリング本体２３は、循環送風機本体１５の内部において、前述した駆動モーター３３の動作を制御する制御装置１１６とともに、循環送風機本体１５の上面に設けられた引掛けシーリングキャップ３に、電気的に接続されている。
【００１４】
従って、この循環送風機本体１５を引掛けシーリングキャップ３によって天井１の照明器具用の引掛けシーリング本体２に取付けることで、循環送風機本体１５に対する給電、及び、循環送風機本体１５の引掛けシーリング本体２３から吊り下げ支持された照明器本体７に対する給電を行うための、電気的接続も同時に行われる。
その結果、設置工事が簡略化されると共に電気接続コード類が外部に露出する状態で壁面等に設けられたコンセントとの間に亘って架設されることで室の美観を損なったりすることを回避出来る。
一方、図示はしないが、室の壁に設けたスイッチを入切操作することで、天井１に設けた、引掛けシーリング本体２から空気清浄器の引掛けシーリングキャップ３へ、通電する状態と通電を遮断する状態とに切り替えられるようになっている。そして、通電状態では、空気清浄器が作動されるとともに、照明器本体７が点灯されるように構成されている。
【００１５】
このように、この発明においては、ファンの吸込口２１は循環送風機本体１５の下面すなわち照明器本体７が取付けられる面に対向しているため、例えばシーリング式の照明器のような天井面に直付けタイプの物では照明器本体で吸込口２１が塞がれてしまったり、あるいはファン２０、２０は軸水平であるため、循環送風機本体１５の厚み寸法はこのファン２０、２０の外径寸法以下にはならず、薄型化が困難である。
【００１６】
従来の技術４．
図１５は特開平１１―３３７１３７号公報に開示された従来の天井取付空気清浄機を示す断面図である。図において、照明器具の引掛シーリングに簡単に固着できる天井取付空気清浄機を提供するものである。循環送風機本体１５を天井１に取付ける際には、まず取付カバーである取付金具１３５を天井１に固着する。次に循環送風機本体１５を持ち上げて、取付金具１３５の真中に形成された貫通口を介して突出されている引掛シーリング本体２に循環送風機本体１５の引掛金具１１１と一体にされている引掛シーリングキャップ３を係合準備の状態にする。
【００１７】
この時、引掛シーリング本体２の両脇には対称に配設されている引掛用の固定金具４と循環送風機本体１５の引掛金具１１１端部両側に設けられている取付金具３５とを、取付金具３５が固定金具４内部に挿入可能な状態に位置させる。次に循環送風機本体１５を時計回りに回転させることにより、引掛シーリング本体２に引掛シーリングキャップ３が完全に係合されて電源の接続を行う。また、同時に引掛用の固定金具４と循環送風機本体１５の取付金具３５とが相互に内部に挿入係合されて、循環送風機本体１５を天井１にしっかりと取付ける。
【００１８】
以上のようにこの発明においては取付カバーである取付金具１３５を天井１に固着した状態で、循環送風機本体１５は従来のシーリング式照明器の取付けとほぼ同様の方法で行うことができる。但し、この取付方法においては、循環送風機本体１５の外周部１０８と循環送風機本体１５の取付金具１３５との結合部分は確実に密着されていないためこの部分からの空気漏れによる天井面の汚れが懸念される。
【００１９】
また、駆動モーター３３はアウターローター式で循環送風機本体１５の中心軸１１５に固着されているため、汎用のモーターではなく専用設計されたものが必要であり、生産数量が少ない場合には高価なものとなってしまう。さらには、電気接続部分の引掛シーリング本体２と引掛シーリングキャップ３の結合部分は見えないため、確実に電気接続されているかどうか確認できないし、電気接続の金具部分と本体取付金具部分の相対位置関係が重要になる。また、取付状態で循環送風機本体１５の回転方向の調整はできない。
【００２０】
従来の技術５．
図１６は、特開２０００―０８１２３２号公報に記載された従来の天井取付空気清浄機である。この特許は特開平１１―３３７１３７号の改良に伴うもので、空気清浄機本体を天井に取付けた状態で本体を回転させ空気の吹出口方向を任意に変更できるものである。
循環送風機本体１５の取付金具３５と引掛シーリングキャップ３とを天井ネジ止め固着された固定金具４と係合させ、電源の接続と駆動モータ３３の天井１への取付けをする。この時固定金具４の外周に形成の外縁部がカバー１０３の内縁面と勘合され、カバー１０３の内側に沿い凹部溝が一部を残し全周に形成され、固定金具４の外縁部に設けられている突起が凹部溝と係合し、カバーはレール上をスライド可能に摺動回転する。
【００２１】
天井１にカバー１０３がサンドイッチ状に挟持された状態で、駆動モーター３３とファンブレード１０７が取付けられ、ボルト１１８がファンカバーを貫通するように、フィルターと基板が配置されているファンカバーを持ち上げて位置決めし、循環送風機本体１５を貫通する空気清浄機の中心軸１１５の下端部とファンカバーを締付部材１１６により回動可能に取付ける。
この発明は図１５の取付状態で循環送風機本体１５の回転方向の調整はできない欠点を解決したもので本体を回転させ空気の吹出口方向を任意に変更できるものであるが、空気清浄機の外周部と空気清浄機の取付カバー１０３との結合部分の空気漏れによる天井面の汚れさらには、電気接続部分の引掛シーリング本体２と引掛シーリングキャップ３の結合部分の確認はできない。
【００２２】
従来の技術６．
図１７は特開2000-74431号公報に開示された従来のサーキュレーターを示す断面図であり、プロペラファンで遠心ディフューザー風路を設けたサーキュレーターの送風機技術を示すものである。
図１７において、天井１に一端が吸込側として天井１に垂直な方向で室内に吸込口２１が開口し、他端が吹出口２２として天井１に向かって開口する直管円筒状の循環送風機本体１５が取付脚１０５により支持された外郭を備えている。循環送風機本体１５の吸込側にはその吸込口２１を囲んで循環送風機本体１５の室内側を覆う化粧グリル１２７が着脱可能に装着されている。
【００２３】
化粧グリル１２７は、室内側と循環送風機本体１５の吸込口２１とを連通させる吸込み風路を有し、サーキュレーターの実質的な吸込み構造となる。循環送風機本体１５の吹出口２２には当該部の循環送風機本体１５内をなだらかな曲面を持って絞るベルマウス１２８が一体に構成され、ベルマウス１２８の周縁により循環送風機本体１５の吹出側の開口部が囲まれた形態となっている。ベルマウス１２８の口縁で囲まれる循環送風機本体１５の吹出口２２は、取付金具３５の室内側に構成されたガイドプレート１０９の中央に間隔をおいて対向している。ガイドプレート１０９は、天井１に平行に近接し、循環送風機本体１５の開口部より平面積の大きい円盤状に構成され、その外周部に取付金具３５を天井１に取付るための取付フランジ１１０が設けられている。
【００２４】
ガイドプレート１０９の室内側の面とこれに対向するベルマウス１２８の吹出側の口縁との間は、循環送風機本体１５の開口部に半径方向に連絡する全周にわたって外部に開放する遠心ディフューザ−風路１２１が構成されている。ガイドプレート１０９の周縁には室外側に立上がる周側壁が形成され、この周側壁とガイドプレート１０９の周端とによる出隅部はＲ形状に仕上げられ、ベルマウス１２８の口縁部分とにより遠心ディフューザ−風路１２１の外部への開放端である吹出口１１２が、半径方向に渡って構成されている。
【００２５】
ガイドプレート１０９の中央部にはモーター取付穴が開けられていて、このモーター取付穴に、循環送風機本体１５内の中心線上に回転軸が突入するように駆動モーター３３が挿入されネジにより固定されている。駆動モーター３３の回転軸には循環送風機本体１５のベルマウス１２８に囲まれた位置で回転し、循環送風機本体１５の吸込口２１から吹出口２２に向う気流を形成するプロペラ式の羽根車１１４が着脱可能に装着されている。
【００２６】
このサーキュレーターは上述のように、循環送風機本体１５と取付金具３５並びにガイドプレート１０９による外郭にプロペラ式の送風機を組付けたコンパクトな構成であり、例えば室内の中央の天井面に取付金具３５の取付フランジ１１０をねじ付けして容易に取付ることができる。このように取付けたサーキュレーターのガイドプレート１０９の通風開口部１２５をシャッター１３７で閉止し、遠心ディフューザ−風路１２１を全開の状態にして駆動モーター３３に通電すると、室内の中央部の空気が化粧グリル１２７から循環送風機本体１５にほぼ垂直方向に吸込まれ、循環送風機本体１５の他端から吹出される。
吹出された気流はガイドプレート１０９とベルマウス１２８により円滑に半径方向に向けられ、遠心ディフューザ−風路１２１により案内され天井面に沿って全周にわたって吹出されていく。天井面に沿って吹出された気流は、内壁面にあたり内壁面に沿って床面に向い、途中で室内側に分散する形で向い天井側に向っていく。この時、内壁面寄りの床側の空気も誘引され天井側に向う。
【００２７】
このように、直接居住者に気流が当たることもなく、室内全体の空気を攪拌するようなこともなくスムーズにかつ効果的に循環させることができる。プロペラ式の羽根車１１４であるため風量も大きくでき、吹出し気流を円滑に遠心ディフューザ−風路１２１に導き天井面に沿って吹出させるため、圧力損失も少なく騒音も少ない。遠心ディフューザ−風路１２１の開口面積をシャッター１１８により調整することにより、吹出し気流の風速を高めることもでき、広い室内の場合に吹出し気流の到達点を長くし、より効果的な室内の空気の循環を実現することができる。
【００２８】
従来の技術７．
図１８は、従来のシーリング式照明器具の一例を示す断面図である。図において、１は天井、２は引掛けシーリング本体にて屋内電気配線２５と接続された雌型具にて、図示なき木ネジにて天井面に固定されている。３は引掛けシーリングキャップにて照明器具側に設けらた雄型具であり、引掛けシーリング本体に引掛け係合することにより結合され照明器具側電線２７により照明器具内部に電源供給される。ここで、引掛けシーリング本体２と引掛けシーリングキャップ３との係合は、公知のように引掛けシーリングキャップ３に２ヶの金属製の金具が突出しており、引掛けシーリング本体２に設けられた溝に差し込み両者の結合面を密着した状態で、回転させることにより係合するもので非常に容易で誰でも出来る構造になっている。
【００２９】
４は引掛けシーリング本体の外周部に位置し天井１に木ネジ５により固定された本体固定金具にてリング状でその外周部に本体固定ネジ６が結合されるネジ穴部がある。本体固定ネジ６は円板状の照明器本体７に設けられた取付穴７ｂ部分にて照明器本体７を天井１に固定された本体固定金具４に固定する。８は回路カバーにて皿状で、照明器本体７に収納されたインバーター回路１０や図示なきスイッチ類、豆球１４のソケット部分などや電気配線等を覆う役目を果たすとともに円形蛍光管１２、１３が図示なき蛍光管固定金具などを介して固定されており、取付ネジ２９により照明器本体７にネジ固定されている。円形蛍光管は内側に位置する小径円形蛍光管１３の方が消費電力は少なく、外側に位置する大径円形蛍光管１２の方が消費電力は大きく明るくなっており、両者を組み合わせることにより、より明るい照明器を構成している。
【００３０】
９は回路プレートにて熱伝導率の良いアルミニウム板等で構成されインバーター回路１０が乗せられており、インバーター回路で発生する熱を放熱させ、寿命を向上させる役目を果たしている。１１はグローブにて半透明の樹脂等で構成され照明器本体７の外周部に設けられた係合部７ａと着脱自在に取付けられている。グローブ１１が汚れた場合や、円形蛍光管１２の交換等の場合、グローブ１１は照明器本体７より容易に取り外し出来るが、この時回路カバー８がインバーター回路１０等の電気部品の充電部を覆っている為、ユーザーが充電部に触れ危険が生じる事はない。
【００３１】
【発明が解決しようとする課題】
従来の循環送風機等は以上のように構成されていたので、薄型化や照明器具選択の自由度において課題を残していた。
この発明は上記のような課題を解決するためになされたもので、薄型化ができ、照明器具の選択の自由度が高い循環送風機を得ることを目的とする。
【００３２】
【課題を解決するための手段】
この発明に係わる循環送風機は、薄型筒状の本体と、この本体内部に設けられ回転軸方向が前記本体の軸方向に一致し、ファン吸込口が本体底面側になると共にファン吹出口が本体側面側になるよう位置させた遠心ファンと、本体天面の略中央に形成され引掛シーリングを収納する凹部と、本体底面に設けられ照明器が引掛係合される取付部と、本体側面に形成された吹出口および吸込口とを備え、前記本体側面の略１／４に吹出口を形成し、
前記遠心ファンの風量が１６０ｍ3／ｈで前記吹出口の吹出風速が３ｍ／ｓ以上であるか、または前記風量と前記吹出風速との積が０．２ｍ4／ｓ2以上としたものである。
【００３３】
また、吹出口の上部に位置する本体天面部分に、吹出し方向に向かって斜め下方になる傾斜部を形成すると共にその傾斜部先端に突起部を形成したものである。
【００３４】
また、吹出口に上下または左右方向の風向板を設けたものである。
【００３５】
また、天面に引掛シーリングと係合される係合部が設けられ、底面に照明器が引掛係合される取付部が設けられた取付部材と、この取付部材に固定された送風機と、この送風機の送風羽根を収納し、吸込口と一箇所の吹出口とが側面に形成された本体とを備え、
前記送風機の風量が１６０ｍ3／ｈで前記吹出口の吹出風速が３ｍ／ｓ以上であるか、または前記風量と前記吹出風速との積が０．２ｍ4／ｓ2以上としたものである。
【００３６】
また、本体は引掛シーリングに対して水平面内で回動可能に前記取付部材に取付けられているものである。
【００３７】
また、本体天面の略中央に引掛シーリングが収納される凹部または穴が形成されたものである。
【００３８】
また、本体を樹脂成形すると共に取付金具を鋼鈑で構成したものである。
【００３９】
また、下面から吸込み、天井面に沿って周方向に吹出す送風機と、この送風機の送風羽根を収納し、側面のを周方向に開口部と閉鎖部とが交互に配置して、前記開口部からは直線状の２方向に前記送風羽根からの空気を吹出す本体とを備え、前記送風機の送風能力を風量３００ｍ3／ｈで吹出風速を６ｍ／ｓ以上であるか、または前記風量と前記吹出風速の積が０．５ｍ4／ｓ2以上としたものである。
【００４０】
【発明の実施の形態】
実施の形態１．
図１はこの発明の循環送風機における一実施の形態を示す側断面図、図２は同斜視図、図３は同本体天面を取外した斜視図である。
図１８に示す従来の技術７と同一または相当する部分には同一符号を付してその説明を省略し、以下相違点を説明する。
１５は循環送風機本体で円柱状もしくは多角柱状の形をしており、その本体天面１６は天井１に面しており、循環送風機本体底面１８は照明器本体７に面している。循環送風機本体側面１７には本体天面１６側に寄って全周のほぼ１／４に渡る吹出口２２を有するとともに、本体底面１８側に寄って残りのほぼ３／４に渡る吸込口２１を有している。
【００４１】
本実施の形態においては、図２、図３に示すように循環送風機本体１５の外観形状は８角柱の例である。尚、吹出口２２が八角柱の一辺に形成され、その幅方向の長さが全周のほぼ１／４であり、吸込口２１が吹出口２２とこれに隣接する辺を除く残り５辺に形成され、その幅方向の長さが全周のほぼ３／４であることからも明らかなように、循環送風機本体１５は正八角形ではない。
本体天面１６と本体底面１８のほぼ中央にはベルマウス１９が循環送風機を上下方向に２分するように設けられており、その２分された空間の本体底面１８側には駆動モーター３３がそのモーター回転軸３３ａを本体天面１６側に向け本体底面１８にモーター取付ネジ３２にて固着されている。ベルマウス１９と本体天面１６の間にはエアーガイド３４が設けられており、その中に遠心ファン２０がその吸込側をベルマウス１９側にしてボス部２０ａにてモーター回転軸３３ａに取付けられている。遠心ファン２０の背面側すなわち主板側は主板凹状２０ｂになっており、その主板凹部２０ｂに位置する本体天面１６側も同様に本体天面凹部１６ａを有している。
【００４２】
２は引掛シーリング本体で、屋内電気配線２５と接続された雌型具にて、図示なき木ネジにて天井面に固定されている。３は引掛シーリングキャップで、循環送風機本体１５に設けられた雄型具であり、引掛シーリング本体に引掛け係合することにより結合され送風機側電線２６により循環送風機本体１５に電源供給される。ここで、引掛シーリング本体２と引掛シーリングキャップ３との係合は、公知のように引掛シーリングキャップ３に２ヶの金属製の金具が突出しており、引掛シーリング本体２に設けられた溝に差し込み両者の結合面を密着した状態で、回転させることにより係合するもので非常に容易で誰でも出来る構造になっている。
本体天面１６のほぼ中央に設けられた本体天面凹部１６ａの周囲には本体取付穴１６ｂが設けられており、本体固定ネジ６により固定される。
【００４３】
４は引掛シーリング本体２の外周部に位置し天井１に木ネジ５により固定された本体固定金具で、図２で示すようなリング状でその外周部に本体固定ネジ６が結合されるネジ穴部がある。
本体底面１８のほぼ中央部には、天井１面と同様、引掛シーリング本体２３が設けられており、図示なき電線により循環送風機本体１５より電源供給されている。２４は引掛シーリングキャップにて引掛シーリング本体２３と係合することにより照明器具側電線２７を通じ照明器本体に電源供給する。
さらに、引掛シーリング本体２３の外周部には本体固定金具４と同様の本体固定金具３０が設けられている。
ここで、本体底面１８と照明器の照明器本体７との間には若干の隙間２８がある。
【００４４】
次に動作について説明すると、駆動モーター３３に通電すると、遠心ファン２０が回転駆動され、これにより室内の中央部の空気が照明器本体の上方に位置する吸込口２１に吸込まれる。
さらに吸込ベルマウス１９を通り、遠心ファン２０により吸込、吹出が行われ、その外周部に位置するエアーガイド３４により案内され吹出口２２から吹出される。この際吹出口２２部分に位置する本体天面１６部分は斜め下方に吹出すように傾斜部１６ｃとその先端部に突起部１６ｄが設けられているため、天井面に吹出す空気は天井面に対し真横ではなく若干斜め下方になる為、吹出し空気による天井面の汚れが軽減出来る。
【００４５】
また、本体底面１８と照明器本体７の間には若干の隙間２８があり、本体底面１８にも吸込開口（図示せず）が設けられている。このため、隙間２８に面した照明器本体７の背面側には室内空気が通過する。当然この反対面に取付けられている回路プレート９は熱伝導率の良いアルミニウム板等で構成されているため、インバーター回路１０で発生する熱を回路プレート９を介して照明器本体７で放熱させる事ができ、インバーター回路１０の寿命を向上させる役目を果たしている。
また、送風能力は循環に最も効率が良い最少の風量、吹出風速にしているため、空気出力が少なく消費電力も少なくでき、直接居住者に気流が当たることもなく、吹かれ感による不快な感じが軽減され、室内全体の空気をスムーズにかつ効果的に循環させることができる。また、送風機の騒音も低く抑えられるし、送風機も小型に出来る。詳細は後述する。
【００４６】
一般的にプロペラファンの特徴は、吸込方向と吹出方向が同一（直線的）で羽根の吸込口前面に障害物があり、風の吸込みがプロペラファンの外周方向側からしか吸い込まず、すなわち羽根の中央のハブ部分には風が流れないようなレイアウトの場合には特性は急激に悪化する。但し、従来の技術７で示す送風機の形態のような遠心ディフーザ―風路を形成したプロペラファンでは、風の吹出側の風方向は軸方向ではなく、径方向に変更できる。このため、天井面と照明器本体の間の空間にプロペラファン式の送風機を設置する場合は、羽根の軸方向が水平となり、羽根外径はこの天井面と照明器の本体の間隔寸法より大きくとることができず、大風量化するには複数台の送風機を横方向に設置する方法となる。
【００４７】
また、羽根の軸方向が垂直となる構成の場合には吸込空間を必要とする為天井面と照明器の間の空間は大きくなる。これに対し、遠心ファンの特徴は、吸込方向と吹出方向が直角で羽根の吸込口前面に障害物があった場合でも、特性悪化が少ない。但し従来の技術３のように遠心ファンの羽根を軸水平にして、ファンケーシングを構成した場合には循環送風機の厚み方向寸法はファンケーシングの高さ寸法と同等となる。すなわちこのような構成では製品を小型化するには小口径羽根（羽根外径寸法が小さい羽根）を高速回転させる必要があるが、この場合には吹出風速が風量に対し、高速になりすぎる。
【００４８】
また、遠心ファンは中静圧、中風量の仕様に適しているため、循環送風機のような使用方法では静圧が低いため、ファン効率向上や低騒音化を行うには、大口径羽根（羽根外径寸法が大きい羽根）を低速回転させる方が良い。このレイアウトは例えば従来の技術４のように羽根の軸方向を垂直にし、薄型（羽根幅の小さい羽根）を使用する方が良い。これらの理由から、本実施の形態のレイアウトになっている。
ここで、遠心ファン２０の背面側の空間、すなわち本体天面１６の凹部１６ａに位置する部分は例えば遠心ファンの主板の形状を図１、図２のように吸込側に絞り形状にしても、このレイアウトのように遠心ファンの吸込口前面が塞がれており、周囲方向から吸込む場合にはさほど性能に影響がない。また、この主板に例えば図３のように大きな円形の穴を円周方向に複数個設けて、取付穴６の投影部分に位置するようにすれば、循環送風機本体１５の取付けは従来の技術７と同様以下のようになる。
【００４９】
次に取付動作について説明する。天井１には屋内電気配線２５の先端に取付けられた引掛シーリング本体２が図示なき木ネジ等により固定されている。その周辺には本体固定金具４が木ネジ５により固定され、さらに、この本体固定金具４に本体固定ネジ６がネジ固定されている。本体固定ネジ６は最初はゆるめておく。送風機側電線２６の先端に取付けられた引掛シーリングキャップ３を前記引掛シーリング本体２に係合し、その後、本体天面１６の凹部１６ａが引掛けシーリングキャップ３を被せるように位置させ、さらに図２で示す、凹部１６ａの外周部に設けられた取付穴部１６ｂの大きい穴の部分に前記本体固定ネジ６の頭部分を貫通させ、本体天面１６を凹部１６ａの中心を軸に図２においてはすなわち本体天面側から見ると左側に回転させることにより、本体固定ネジ６の頭部分が取付穴部１６ｂの小さい穴の部分に移動する。この本体固定ネジ６は前記主板の複数の穴に位置するように構成しているため、図２の左側の本体固定ネジ６はドライバーなどでこのネジを確実に締め付けることが出来る。
さらに右側の本体固定ネジ６は遠心ファン２０を吹出口から手で回転させ、主板の穴部分に位置するようにしネジ締め出来る。このように循環送風機本体１５は、図１５で示す従来のシーリング式照明器具と同じ要領で容易に取付出来る。
【００５０】
次に、本実施の形態における循環送風機の概略仕様を説明する。遠心ファン２０の外径寸法はφ２３０、羽根幅寸法は４２ｍｍ、スクロール拡大率は０．１０、スクロール幅は６２ｍｍ、ファンケーシングの吹出寸法は軸方向６０ｍｍで幅方向２３０ｍｍ、吹出面積は１３８ｃｍ2である。
ここで、スクロール拡大率が０．１０の場合のスクロールの大きさは、羽根外径φ１８０に対し□３００程度であり、本実施の形態では□３８０程度である。
循環送風機本体１５は、処理風量３００ｍ3／ｈを回転数７６０ｒ／ｍで送風することができ、そのときの吹出風速は６ｍ／ｓである。また、処理風量２００ｍ3／ｈでは回転数５０７ｒ／ｍで送風することができ、そのときの吹出風速は４ｍ／ｓである。また、消費電力はモーターを最大効率６０％程度の８極のＤＣブラシレスモーターで駆動した場合、処理風量３００ｍ3／ｈ時は２３Ｗ、処理風量２００ｍ3／ｈでは９Ｗ程度であったため、循環送風機の消費電力はきわめて小さい。
【００５１】
実施の形態２．
図１１はこの発明の循環送風機における他の実施の形態を示す断面図、図１２は同部品構成を説明する分解斜視図である。
図において、４０は樹脂製の循環送風機本体で、図１で示す本体天面１６、本体側面１７、エアーガイド３４を一体化している。循環送風機本体４０の形状は、本実施の形態では円柱状をしている。
４１は本体取付金具で、循環送風機本体４０の天面から外周部にかけて帯状に覆う形状をしており、循環送風機本体４０の樹脂より強度、剛性に優れた鋼鈑製である。本体取付金具４１の天面１側中央部には図２と同様、凹部４１ａと本体取付穴４１ｂを有している。但し、本体取付穴４１ｂは凹部４１ａと同心円状に円周方向に複数個形成されている。また、循環送風機本体４０の外周部を覆う本体取付金具４１の立ち下がり部は、循環送風機本体外周に沿った曲面形状を成し、さらに立ち下がり部先端からは中心方向に向かって鍔部４１ｃが形成されている。
【００５２】
４２は薄鋼鈑で構成された吸込ベルマウスで図１の吸込ベルマウス１９に対応しており、例えば樹脂製送風機本体４０にネジ固定されている。吸込ベルマウス１９はその外周端が本体取付金具４１の鍔部４１ｃ上に来るような外径を成している。４３はモーター取付金具で、本体取付金具４１同様鋼鈑で構成されており、そのほぼ中央部に駆動モーター３３がモーター取付ネジ３２により固定されている。また、両端には立ち上がり部と、この立ち上がり部からさらに遠心方向に突出すると共に、外縁が循環送風機本体４１の立ち下がり部曲面に沿った曲線形状を成し、本体取付金具４１の鍔部に載置される鍔部が形成されている。
【００５３】
４４はモーター取付金具４３の立ち上がり部に形成された吸込口で、４５は吸込ベルマウス４２および循環送風機本体４０とネジ４６により結合するための取付穴であり、この部分にて循環送風機本体４０にネジ固定されている。さらに、駆動モーター３３の反対面には本体固定金具３０が取付けられており、図１の本体底面１８に対応している。駆動モーター３３の回転軸３３ａには遠心ファン２０が取付けられるが、本図においては見易さの都合上省略されている。４６は引掛シーリングキャップで、着脱可能なコネクター４７を介して循環送風機本体４０内に電気接続されている。４８は循環送風機本体４０に形成された吹出口に設けられた風向板で、上下左右方向に風向を変更する。
【００５４】
本実施の形態における取付方法は、先ず送風機本体４０と本体取付金具４１は分離しておく。シーリングキャップ４６はコネクター４７部位にて切り離して、天井１面に取付けられた引掛シーリング本体２と引掛け結合する。次に引掛シーリング本体２の外周部の天井面に取付けられた本体取付金具４に本体固定ネジ６にて本体取付金具４１をネジ固定する。この際、取付方向は本体取付金具４１に設けられた複数の取付穴４１ｂを利用し送風機本体４０と結合した場合の吹出方向を調整しておく。
【００５５】
次に本体取付金具４１に循環送風機本体４０を連結する。循環送風機本体４０には予め吸込ベルマウス４２およびモータ取付金具４３を螺合させておく。連結の方法は例えば本体取付金具４１の側面からスライド挿入させても、本体取付金具４１の側面部分を鋼鈑の弾性を利用し部分的に変形させ下側から挿入させても良い。挿入後に循環送風機本体４０の外周下端、吸込ベルマウス４２外周端及びモーター取付金具４３の鍔部を本体取付金具４１の鍔部４１ｃ上に載置する。尚、本体取付金具４１の鍔部４１ｃに直接当接しているのはモータ取付金具４３の鍔部である。載置後コネクター４７部にて電源接続する。
【００５６】
ここで、循環送風機本体４０の形状は、円柱形をしているため、本体取付金具４１と連結した状態にて周方向に回動可能である。循環送風機本体４０を設置状態から１５°くらいの範囲内で回動させることで、循環送風機本体４０の吹出口からの吹出方向を調整できる。尚、本体取付金具４１における鍔部４１ｃの周方向の幅はモーター取付金具４３における鍔部の周方向の幅よりも回動許容範囲分だけ幅広になっており、循環送風機本体４０を回動させても、落下する心配はない。循環送風機本体４０の吹出口に設けられた風向板４８は吹出方向の調整を行うと同時に遠心ファンの吹出し空気の流れを整流し遠方まで到達させる役目も果たしている。
循環送風機本体１５と照明器本体７との結合方法は、実施の形態１と同様であり、その説明を省略する。
【００５７】
このように本実施の形態によれば、送風機本体は低コストで成形容易な樹脂製で構成し、本体の外周部を覆う帯状の取付金具を強固な鋼鈑で構成したため、シーリング式照明器が重たいものでも取付け可能で、循環送風機自身の重量を軽く構成出来、送風機本体のエアー漏れ等が容易に対策出来る。また、本体の外周部を覆う帯状の取付金具を本体の周方向に回動可能に取付けたため、送風機を取付た状態で吹出方向を容易に変更できる。
また、循環送風機本体の外周部を覆う帯状の取付金具を本体の周方向に回動可能にしない場合においても、取付金具に設けられた取付穴の個数を回転方向に多く設け、送風機本体の吹出口を大まかに設置し、本体吹出口に設けられた上下、左右方向の風向板を調整することで吹出方向を自由に設定でき、吹かれ感をより少なくすることができる。
【００５８】
実施の形態３．
従来の発明では空気清浄器に関するものが多くサーキュレーションに関するものは少ない。また、サーキュレーションでは扇風機を運転したり、天井扇と呼ばれる羽根径が直径１ｍ程度あるものを運転するもので、本発明のように少風量で吹かれ感がないものに関してはどの程度の送風性能でサーキュレーション効果があるか定量的に知られていない。そこで、サーキュレーション効果を、本発明の発明者が行なった実験結果により説明し、最適な送風機を提案する。
【００５９】
図４は実験装置の環境を示す概念図である。図において、２℃に冷却された室外部分の内部に図４で示すような８畳間（３．６ｍ×３．６ｍ×高さ２．４ｍ）の室内部屋が設置されている。エアコンは上記部屋の一壁面のほぼ中央に設置し、循環送風機は部屋の天井面のほぼ中央に設置した。エアコンは冬場を想定し暖房運転を行なった。エアコンの設定温度は２１℃とした。部屋の中には、温度センサーが上下水平方向に４００ｍｍ間隔毎に設置され、室内を９点×９点×上下６点の合計４８６点に分割して温度分布を最新の計測室において測定した。
２方向吹出しの場合は、サーキュレーターの吹出し方向がエアコンの吹出し方向に対して直角方向で
１方向吹出しの場合はサーキュレーターの吹出し方向がエアコンの吹出し方向に対して直角方向と同一方向の２種類とした。
室内の上下温度差は床上５ｃｍの点と床上２００ｃｍの点の室温温度差で表わした。
【００６０】
次に、本実験の循環送風機の概略仕様を説明すると、１方向吹出しの場合は実施の形態１で説明した循環送風機の通りである。
全周方向吹出しと２方向吹出しの場合の本実験の循環送風機の概略仕様を説明すると、図１７においてプロペラファン１１４の外径寸法はφ１８０、羽根枚数は３枚、羽根翼の最大軸方向寸法は６９ｍｍ、ベルマウス１０８の内径寸法はφ１８８、ガイドプレート１０９の外径寸法は、上下幅寸法が３０ｍｍの場合はφ３５０で、上下幅寸法が２０ｍｍ、１５ｍｍの場合は吹出口を徐々に絞る形態をとり、ガイドプレート１０９の外径寸法φ２６０までは上下幅寸法を３０ｍｍとし、その外周部を傘状で外径がφ４００でその外周部において上下幅寸法が２０ｍｍ、１５ｍｍになるようにした。
【００６１】
循環送風機１００は、駆動モーターのパワーを一定にした場合、全周方向吹出しで吹出口の上下幅寸法が３０ｍｍの場合、処理風量３００ｍ3／ｈを回転数１１５０ｒ／ｍで送風することができ、そのときの吹出風速は２．５ｍ／ｓである。
全周方向吹出しで吹出口の上下幅寸法が２０ｍｍの場合、処理風量３００ｍ3／ｈを回転数１１５２ｒ／ｍで送風することができ、そのときの吹出風速は３．３ｍ／ｓである。
全周方向吹出しで吹出口の上下幅寸法が１５ｍｍの場合、処理風量２８０ｍ3／ｈを回転数１１３９ｒ／ｍで送風することができ、そのときの吹出風速は４．２ｍ／ｓである。
【００６２】
２方向吹出しの場合は全周方向吹出しで吹出口の上下幅寸法が２０ｍｍの場合の吹出口を４等分して開口と閉鎖を交互とし、すなわち直線方向に吹出すようにした。この場合処理風量２３０ｍ3／ｈを回転数１１４０ｒ／ｍで送風することができ、そのときの吹出風速は５．１ｍ／ｓである。
このときの駆動モーターはコンデンサーラン誘導電動機で極数は２極、モーターの最大効率は３０％で駆動した場合、上記パワーの場合１２Ｗ程度であったため、循環送風機の消費電力は無視できるほど小さい。
【００６３】
図５は、横軸に循環送風機の風量を縦軸に前記上下温度差を示したもので、各送風形態での効果の相違を表わしている。循環送風機を運転しない場合の上下温度差は７．４℃であった。
ここで１方向吹出しとは、図１で示す循環送風機の形態で、全周吹出しとは従来の技術６に示す図１７の送風機の形態を示し、２方向吹出しとは前記全方向吹出しの場合の吹出口を周方向に４等分して開口部と閉鎖部を交互にし、直線状の２方向に吹出す送風機の形態を示している。また、吹出口の上下幅寸法とは、図１７の吹出口２２の高さ寸法すなわちベルマウス１２８とガイドプレート１０９の間隔寸法を示す。
【００６４】
この結果、例えばサーキュレーションにより、上下温度差を運転しない場合の１／２以下の約３℃にする循環風量は１方向吹出しの場合では約１６０ｍ3／ｈ、２方向吹出しでは約２８０ｍ3／ｈ、全周吹出しでは３２０ｍ3／ｈ以上必要なことがわかった。また、１方向吹出しの場合では吹出方向の相違による上下温度差即ちサーキュレーション効果の差はほとんどなかった。
全周吹出しでは、吹出口の上下幅寸法を１５ｍｍ、２０ｍｍ、３０ｍｍと変化させた結果、上下幅寸法は１５ｍｍ、２０ｍｍ、３０ｍｍの順に良好であった。全周吹出しと２方向吹出しで２方向吹出しの方が風量が少なくすんだ理由は、風量が同一の場合には２方向吹出しは全周吹出しに比べ吹出風速が約２倍になるためと思われる。サーキュレーション効果は風量と吹出風速の積に関係すると思われる。
【００６５】
同様に図６は、横軸に循環送風機の吹出風速（平均風速）を縦軸に前記上下温度差を示したもので、各送風形態での効果の相違を表わしている。この結果、例えばサーキュレーションにより、上下温度差を運転しない場合の１／２以下の約３℃にする吹出風速は１方向吹出しの場合では約３．２ｍ／ｓ、２方向吹出しでは上下幅寸法が２０ｍｍの場合は約６．２ｍ／ｓ、全周吹出しでは吹出口の上下幅寸法が１５ｍｍの場合は約４．７ｍ／ｓ、２０ｍｍの場合は約４ｍ／ｓ以上３０ｍｍの場合は約３ｍ／ｓ以上必要なことがわかった。
【００６６】
ここで、２方向吹出しと全周吹出しを吹出口の上下幅寸法が２０ｍｍの場合で比較すると、全周吹出しを２方向吹出しにした場合にはモーターパワーが同一の場合、風量は７７％になるため、風速は１．５倍になる。全周吹出しでは２０ｍｍの場合は約４ｍ／ｓ以上必要であるため、これを２方向にした場合には風速は１．５倍の６．０ｍ／ｓになるが、上記では２方向吹出しでは約６．２ｍ／ｓのため、全周吹出しと２方向吹出しでは、ほぼ同等であることがわかる。
【００６７】
図７は、上記図５と図６を組み合わせた図で、横軸に循環送風機の風量と吹出風速の積を縦軸に前記上下温度差を示したもので、各送風形態での効果の相違を表わしている。
この結果、例えばサーキュレーションにより、上下温度差を運転しない場合の１／２以下の約３℃にする風量×風速の積（ｍ4／ｓ2）は、１方向吹出しの場合では約０．１６ｍ4／ｓ2、２方向吹出しでは上下幅寸法が２０ｍｍの場合は約０．４８ｍ4／ｓ、全周吹出しでは吹出口の上下幅寸法が１５ｍｍの場合は約０．４３ｍ4／ｓ、２０ｍｍの場合は約０．３８ｍ4／ｓ2、３０ｍｍの場合は約０．３２ｍ4／ｓ2必要なことがわかった。
【００６８】
ここで、従来技術６で説明した送風機は吹出口の上下幅寸法を１５ｍｍ、２０ｍｍ、３０ｍｍと変化させた場合、２０ｍｍ、３０ｍｍでは風量はほとんど変わらないが、モーターパワーを一定にした場合、７％低下する事を考慮に入れると、２０ｍｍを基準に考えた場合、１５ｍｍは０．９３（風量）×１．３３（吹出風速）＝１．２４、３０ｍｍは１．０（風量）×０．６７（吹出風速）＝０．６７となる。
よって風量×風速の積（ｍ4／ｓ2）は、２０ｍｍの場合が約０．３８ｍ4／ｓ2であれば、１５ｍｍの場合は０．３８×１．２４＝約０．４７ｍ4／ｓ2、３０ｍｍの場合は、０．３８×０．６７＝０．２５ｍ4／ｓ2である。ここで、前記の必要な風量×風速の積と比較すると、１５ｍｍの場合は０．４３、３０ｍｍの場合は０．３２であるため１５ｍｍの場合はわずかに小さいが３０ｍｍの場合は大きな値である。このことを考慮すると、吹出口の上下幅寸法は１５ｍｍが最適で、２０ｍｍはわずかに悪い程度であるが、３０ｍｍにすると悪くなる。
【００６９】
図８は、横軸に床からの上下方向高さを縦軸に上下温度を示したもので、１方向吹出しの場合の風量の相違による上下温度を表わしている。
風量は２００ｍ3／ｈ（この時の吹出風速は４ｍ／ｓ）、１６０ｍ3／ｈ（この時の吹出風速は３．２ｍ／ｓ）、１３０ｍ3／ｈ（この時の吹出風速は２．６ｍ／ｓ）、１００ｍ3／ｈ（この時の吹出風速は２ｍ／ｓ）と変化させている。１００ｍ3／ｈでは上下温度差は５．６℃あるが、風量が増加し２００ｍ3／ｈになると上下温度差は２℃に軽減される。床上５ｃｍの温度は、１００ｍ3／ｈ時では１７℃であるのに対し２００ｍ3／ｈでは２１℃で４℃も上昇する。また、風量が１５０ｍ3／ｈ時の床上５ｃｍの温度を推定すると、約１９．５℃で、１００ｍ3／ｈ時に比べ２．５℃上昇する。
【００７０】
図９は、横軸に床からの上下方向高さを縦軸に上下温度を示したもので、全方向吹出しで吹出口の上下幅寸法が１５ｍｍの場合の風量の相違による上下温度を表わしている。
風量は３４０ｍ3／ｈ（この時の吹出風速は５ｍ／ｓ）、３１０ｍ3／ｈ（この時の吹出風速は４．６ｍ／ｓ）、２９０ｍ3／ｈ（この時の吹出風速は４．３ｍ／ｓ）、１９０ｍ3／ｈ（この時の吹出風速は２．８ｍ／ｓ）と変化させている。１９０ｍ3／ｈでは上下温度差は６．５℃あるが、風量が増加し３４０ｍ3／ｈになると上下温度差は２．８℃に軽減される。床上５ｃｍの温度は、１９０ｍ3／ｈ時では１５℃であるのに対し３４０ｍ3／ｈでは１９℃で４℃も上昇する。風量２９０ｍ3／ｈから１９０ｍ3／ｈに低下するとサーキュレーション効果は低下し、例えば風量２９０ｍ3／ｈの床上５ｃｍの温度は風量１９０ｍ3／ｈの床上５０ｃｍの温度とほぼ同等となり、風量が少ないと天井面付近の空気は床面まで到達していないと思われ、この事から風速は４ｍ／ｓ程度は必要と思われる。
【００７１】
図１０は、横軸に床からの上下方向高さを縦軸に上下温度を示したもので、２方向吹出しで吹出口の上下幅寸法が２０ｍｍの場合の風量の相違による上下温度を表わしている。
風量は２８０ｍ3／ｈ（この時の吹出風速は６．２ｍ／ｓ）、２３０ｍ3／ｈ（この時の吹出風速は５．１ｍ／ｓ）、１６０ｍ3／ｈ（この時の吹出風速は３．５ｍ／ｓ）と変化させている。１６０ｍ3／ｈでは上下温度差は６．３℃あるが、風量が増加し２８０ｍ3／ｈになると上下温度差は３℃に軽減される。床上５ｃｍの温度は、１６０ｍ3／ｈ時では１６．２℃であるのに対し２８０ｍ3／ｈでは２０．４℃で４．２℃も上昇する。ここで、２方向吹出しの場合の風量が１６０ｍ3／ｈと前述の全周方向の場合の風量が１９０ｍ3／ｈで比較すると２方向吹出しの方が風量が少ないにもかかわらず床上５ｃｍの温度は約１℃高い。このことからも風量が同一の場合は吹出風速が早くできる２方向吹出しが良いことがわかる。
【００７２】
次に、１方向吹出しと２方向吹出しで比較すると風量が同一の１６０ｍ3／ｈで比較すると床上５ｃｍの温度は１方向吹出しの場合は２０℃、２方向吹出しの場合は１６．２℃で圧倒的に１方向吹出しが良い。２方向吹出しの風量２６０ｍ3／ｈ程度の効果に匹敵する。
但し、吸込面が循環送風機の下方にある場合は、遠心ファンではなくプロペラファンが利用できる図１４で示す２方向吹出しの送風形態が製造コスト的に安価に構成できる。
【００７３】
以上の結果を考慮すれば、循環送風機の仕様は１方向吹出しでは、風量は１６０ｍ3／ｈ以上で吹出風速は３ｍ／ｓ以上にするか、または風量と吹出風速の積を０．２０ｍ4／ｓ2以上にすれば上下温度差は運転しない場合の１／２以下に出来る。
また、全周吹出しよりは２方向吹出しとし、吹出口の上下幅寸法を最適な２０ｍｍ程度とすると風量は２８０ｍ3／ｈ以上で吹出風速は６ｍ／ｓ以上にするか、または風量と吹出風速の積を０．５０ｍ4／ｓ2以上にすれば上下温度差は運転しない場合の１／２以下に出来る。
【００７４】
これにより室内の平均温度は２〜３℃上昇したのと同じになり、エアコンの設定温度を約２℃低下させても同じ暖房効果が得られ約１０％の省エネが期待出来る。この省エネ効果はおおむね消費電力で５０Ｗ程度になる。但し、循環送風機の効率が悪くすなわち循環送風機の消費電力が高い場合には省エネ効果は循環送風機の電力分だけ少なくなる為循環送風機は省電力設計が必要となる。例えば循環送風機の消費電力が５０Ｗでは、床面温度が上昇し快適にはなるが、省エネ効果はあまり期待できない。
上記内容は平均的な部屋の広さである８畳間の例であるが、これより大きな部屋ではこの送風機を比例的に大型化するのではなく複数台取付ければ良い。
【００７５】
【発明の効果】
以上のように、この発明によれば、薄型筒状の本体と、この本体内部に設けられ回転軸方向が前記本体の軸方向に一致し、ファン吸込口が本体底面側になると共にファン吹出口が本体側面側になるよう位置させた遠心ファンと、本体天面の略中央に形成され引掛シーリングを収納する凹部と、本体底面に設けられ照明器が引掛係合される取付部と、本体側面に形成された吹出口および吸込口とを備え、前記本体側面の略１／４に吹出口を形成したので、薄型化ができると共に照明器具の選択の自由度が高く、サーキュレーション効果に優れた循環送風機を得ることができる。
【００７６】
また、吹出口の上部に位置する本体天面部分に、吹出し方向に向かって斜め下方になる傾斜部を形成すると共にその傾斜部先端に突起部を形成したので、吹出空気による天井面の汚れを軽減できる。
【００７７】
また、吹出口に上下または左右方向の風向板を設けたので、吹出方向の調整が製品取り付け状態ででき、吹出し空気の流れを整流して目的のエリアに到達させることができる。
【００７８】
また、天面に引掛シーリングと係合される係合部が設けられ、底面に照明器が引掛係合される取付部が設けられた取付部材と、この取付部材に固定された送風機と、この送風機の送風羽根を収納し、吹出口が形成された本体とを備えたので、薄型化ができると共に照明器具の選択の自由度が高く、工事性に優れた循環送風機を得ることができる。
【００７９】
また、本体は引掛シーリングに対して水平面内で回動可能に前記取付部材に取付けられているので、循環送風機を取り付けた状態で吹出方向を変更できる効果が得られる。
【００８０】
また、本体天面の略中央に引掛シーリングが収納される凹部または穴が形成されたので、天井面から突出した引掛シーリング本体を送風性能に影響しにくい部分に収納でき、より薄型化が図れる。
【００８１】
また、本体を樹脂成形すると共に取付金具を鋼鈑で構成したので、照明器自体が重たいものでも取付け可能で、循環送風機自身の重量を軽く構成できる。
【００８２】
また、循環送風機の送風能力を風量１５０ｍ3／ｈで吹出風速を３ｍ／ｓ以上、または風量と吹出風速の積が０．２ｍ4／ｓ2以上としたので、サーキュレーション効果が効率良く得られ、循環送風機の大きさや消費電力を小さくできる。
【００８３】
また、下面から吸込み、天井面に沿って周方向に吹出す送風機の吹出口を周方向に４等分して開口部と閉鎖部を交互にし、直線状の２方向に吹出す循環送風機の送風能力を風量２８０ｍ3／ｈで吹出風速を６ｍ／ｓ以上、または風量と吹出風速の積が０．５ｍ4／ｓ2以上としたので、サーキュレーション効果が効率良く得られ、循環送風機の大きさや消費電力を小さくできる。
【図面の簡単な説明】
【図１】  この発明の一実施の形態による循環送風機の断面図である。
【図２】  この発明の一実施の形態による循環送風機の斜視図である。
【図３】  この発明の一実施の形態による循環送風機の内部の斜視図である。
【図４】  サーキュレーション効果の試験室の斜視図である。
【図５】  横軸に循環送風機の風量を縦軸に上下温度差を示す特性図である。
【図６】  横軸に循環送風機の風速を縦軸に上下温度差を示す特性図である。
【図７】  横軸に循環送風機の風量×風速を縦軸に上下温度差を示す特性図である。
【図８】  横軸に床からの上下方向高さを縦軸に上下温度差を示す特性図である。
【図９】  横軸に床からの上下方向高さを縦軸に上下温度差を示す特性図である。
【図１０】  横軸に床からの上下方向高さを縦軸に上下温度差を示す特性図である。
【図１１】  この発明の別の実施の形態による循環送風機の断面図である。
【図１２】  この発明の別の実施の形態による循環送風機の構成の斜視図である。
【図１３】  従来の天井面と照明器具の間に空気清浄機を設けた斜視図である。
【図１４】  従来の天井面と照明器具の間に空気清浄機を設けた斜視図である。
【図１５】  従来の天井面と照明器具の間に空気清浄機を設けた断面図である。
【図１６】  従来の天井面と照明器具の間に空気清浄機を設けた断面図である。
【図１７】  従来の遠心ディフーザ−風路を設けたサーキュレーターの断面図である。
【図１８】  従来のシーリング式照明器具の一実施の形態による断面図である。
【符号の説明】
１  天井、  ２  引掛けシーリング本体、  ３  引掛けシーリングキャップ、  ４  本体固定金具、  ５  木ネジ、  ６  本体固定ネジ、  ７  照明器本体、  ７ａ  本体フランジ、  ７ｂ  本体取付穴、  ８  回路カバー、  ９  回路プレート、  １０  インバーター回路、  １１  グローブ、  １２  円形蛍光管、  １３  小径円形蛍光管、  １４  豆球、    １５  循環送風機本体、  １６  本体天面、  １６ａ  凹部、  １６ｂ  本体取付穴、  １６ｃ傾斜部、  １６ｄ  突起部、  １７  本体側面、  １８  本体底面、  １９  吸込ベルマウス、  ２０  遠心ファン、  ２０ａ  ボス部、  ２１  吸込口、  ２２  吹出口、  ２３  引掛けシーリング本体、  ２４  引掛けシーリングキャップ、  ２５  屋内電気配線、  ２６  送風機側電線、  ２７  照明器具側電線、  ２８  隙間、  ２９  取付ネジ、  ３０  本体固定金具、  ３１  本体固定ネジ、  ３２  モーター取付ネジ、  ３３  駆動モーター、  ３３ａ  回転軸、  ３４  エアーガイド、  ３５  本体取付金具。
【図１】
0003991575.tif 000002
【図２】
0003991575.tif 000003
【図３】
0003991575.tif 000004
【図４】
0003991575.tif 000005
【図５】
0003991575.tif 000006
【図６】
0003991575.tif 000007
【図７】
0003991575.tif 000008
【図８】
0003991575.tif 000009
【図９】
0003991575.tif 000010
【図１０】
0003991575.tif 000011
【図１１】
0003991575.tif 000012
【図１２】
0003991575.tif 000013
【図１３】
0003991575.tif 000014
【図１４】
0003991575.tif 000015
【図１５】
0003991575.tif 000016
【図１６】
0003991575.tif 000017
【図１７】
0003991575.tif 000018
【図１８】
0003991575.tif 000019